(57)【特許請求の範囲】
【請求項１】
ネットワークを構成する複数の通信装置のうちの割り当てられた管理対象通信装置を管理するネットワーク管理装置であって、以下の要素を有することを特徴とするネットワーク管理装置
（１）管理対象通信装置が送信した障害報告を受信する障害報告受信部、
（２）管理対象通信装置を要求先通信装置とする管理要求を入力する管理要求入力部、
（３）受信した上記障害報告の送信元である管理対象通信装置が上記要求先通信装置である場合に、上記要求先通信装置へのアクセスが制限されていると判断するアクセス制限判断部、
（４）上記要求先通信装置へのアクセスが制限されていないと判断した場合に、上記管理要求に上記要求先通信装置に送信する管理要求送信部。
【請求項２】
上記アクセス制限判断部は、アクセスが制限されているアクセス制限通信装置の識別情報を記憶し、上記要求先通信装置の識別情報と、上記アクセス制限通信装置の識別情報とが一致する場合に、アクセスが制限されていると判断することを特徴とする請求項１記載のネットワーク管理装置。
【請求項３】
上記アクセス制限判断部は、受信した上記障害報告の送信元である管理対象通信装置の識別情報を、上記アクセス制限通信装置の識別情報として記憶することを特徴とする請求項１記載のネットワーク管理装置。
【請求項４】
ネットワークを構成する複数の通信装置のうちの割り当てられた管理対象通信装置を管理するネットワーク管理装置のネットワーク管理方法であって、以下の要素を有することを特徴とするネットワーク管理方法
（１）管理対象通信装置が送信した障害報告を受信する工程、
（２）管理対象通信装置を要求先通信装置とする管理要求を入力する工程、
（３）受信した上記障害報告の送信元である管理対象通信装置が上記要求先通信装置である場合に、上記要求先通信装置へのアクセスが制限されていると判断する工程、
（４）上記要求先通信装置へのアクセスが制限されていないと判断した場合に、上記管理要求に上記要求先通信装置に送信する工程。
【請求項５】
ネットワークを構成する複数の通信装置のうちの割り当てられた管理対象通信装置を管理するネットワーク管理装置であるコンピュータに、以下の処理を実行させるためのプログラムを記録したコンピュータ読み取り可能な記録媒体
（１）管理対象通信装置が送信した障害報告を受信する処理、
（２）管理対象通信装置を要求先通信装置とする管理要求を入力する処理、
（３）受信した上記障害報告の送信元である管理対象通信装置が上記要求先通信装置である場合に、上記要求先通信装置へのアクセスが制限されていると判断する処理、
（４）上記要求先通信装置へのアクセスが制限されていないと判断した場合に、上記管理要求に上記要求先通信装置に送信する処理。
【発明の詳細な説明】
【０００１】
【発明の属する技術分野】
この発明は、ネットワークを構成する複数の通信装置を複数の管理ドメインに分け、各管理ドメインをそれぞれ別々のネットワーク管理装置が管理するシステムにおいて、通信装置を管理するためのネットワーク管理方法及びその装置に関するものである。
【０００２】
【従来の技術】
従来のネットワーク管理方法は、例えば「特開平０８−８９５１」や「特開平１１−２３４２９１」に示されるように、ネットワーク内に複数のネットワーク管理装置を配置し、複数存在する通信装置を分担して管理を行うネットワーク管理方法であった。
【０００３】
図１１は、従来技術における通信システム構成を示す図である。
ネットワーク１に接続されるネットワーク管理装置１ｂにおいて、ネットワーク管理装置１ａの管理する通信装置３ａ，３ｂの状態を知ることができる。通信装置３ａ，３ｂの状態は、記憶手段６ａの中で管理し、集約した状態（記憶装置の中の通信装置のａ＋ｂの状態）を、通信手段５ａからネットワーク管理装置１ｂに送信する。ネットワーク管理装置１ｂは、通信手段５ｂでこれを受信し、記憶手段６ｂに書き込む。このようにして、ネットワーク管理装置１ｂにおいて、通信装置３ａ，３ｂのａ＋ｂの状態を管理する。
【０００４】
また、通信装置３ｃ，３ｄの個別の状態は、ネットワーク管理装置１ｂの利用者からの要求を状態表示手段４ｂが認識し、通信手段５ｂに情報取得の要求を行い、通信手段５ｂはネットワーク管理装置１ａに対し、情報取り出しの要求を行い、通信手段５ａが状態を管理する記憶装置６ａの中から情報をとりだし、ネットワーク管理装置１ｂに転送する。
【０００５】
これによって、他のネットワーク管理装置の管理する装置の状態を認識することができる。上述のように、他のネットワーク管理装置から通信装置の情報を取得する機能があるからである。
【０００６】
【発明が解決しようとする課題】
上記の従来のネットワーク管理方法は、複数のネットワーク管理装置が分担して通信装置の状態を監視し、必要に応じて別の管理装置の管理下にある通信装置の状態を監視することができるが、各ネットワーク管理装置の役割分担や管理権限については言及されていない。そのため、次のような課題が有る。
【０００７】
課題１として、複数のネットワーク管理装置が同時に、ある通信装置にアクセスできるため、一貫した管理操作が保証されない。
【０００８】
課題２として、複数のネットワーク管理装置が同時に、ある通信装置にアクセスできるため、ネットワーク管理装置が管理下にある通信装置の障害復旧作業をしている時にも、別のネットワーク管理装置から管理要求が発行される場合が有り、通信装置の的確な障害復旧が保証されない。
【０００９】
課題３として、世界規模のネットワークを管理する場合、世界各国にネットワーク管理装置が存在し、各ネットワーク管理装置に１日２４時間体制でオペレータを配置する必要があり、ネットワーク管理の運用費用が膨大になる。
【００１０】
この発明は上記のような問題点を解決するためになされたもので、ネットワーク管理装置間のアクセス制御を行い、各ネットワーク管理装置同士が矛盾無く管理を実施し、複数のネットワーク管理装置が的確に通信装置の障害を復旧し、かつ複数のネットワーク管理装置をスケジューリングすることによって、オペレータの負荷を低減することを目的とする。
【００１１】
【課題を解決するための手段】
この発明に係るネットワーク管理装置は、ネットワークを構成する複数の通信装置のうちの割り当てられた管理対象通信装置を管理するネットワーク管理装置であって、以下の要素を有することを特徴とする。
（１）上記管理対象通信装置を要求先通信装置とする上記管理要求を入力する管理要求入力部、
（２）上記要求先通信装置が他の管理要求を処理中であるか否かを判断する管理要求処理状態判断部、
（３）上記要求先通信装置が他の管理要求を処理中で無いと判断した場合に、上記管理要求を上記要求先通信装置に送信する管理要求送信部。
【００１２】
上記ネットワーク管理装置は、更に、上記管理要求をネットワークを介して受信する管理要求受信部を有し、
上記管理要求入力部は、上記管理要求受信部により受信した上記管理要求を入力することをを特徴とする。
【００１３】
上記管理要求処理状態判断部は、他の管理要求を処理中の処理中通信装置の識別情報を記憶し、上記要求先通信装置の識別情報と、上記処理中通信装置の識別情報とが一致する場合に、処理中であると判断することを特徴とする。
【００１４】
この発明に係るネットワーク管理方法は、ネットワークを構成する複数の通信装置のうちの割り当てられた管理対象通信装置を管理するネットワーク管理装置のネットワーク管理方法であって、以下の要素を有することを特徴とする。
（１）上記管理対象通信装置を要求先通信装置とする上記管理要求を入力する工程、
（２）上記要求先通信装置が他の管理要求を処理中であるか否かを判断する工程、
（３）上記要求先通信装置が他の管理要求を処理中で無いと判断した場合に、上記管理要求を上記要求先通信装置に送信する工程。
【００１５】
この発明に係るプログラムを記録したコンピュータ読み取り可能な記録媒体は、ネットワークを構成する複数の通信装置のうちの割り当てられた管理対象通信装置を管理するネットワーク管理装置であるコンピュータに、以下の処理を実行させるためのプログラムを記録したコンピュータ読み取り可能な記録媒体であることを特徴とする。
（１）上記管理対象通信装置を要求先通信装置とする上記管理要求を入力する処理、
（２）上記要求先通信装置が他の管理要求を処理中であるか否かを判断する処理、
（３）上記要求先通信装置が他の管理要求を処理中で無いと判断した場合に、上記管理要求を上記要求先通信装置に送信する処理。
【００１６】
この発明に係るネットワーク管理装置は、ネットワークを構成する複数の通信装置のうちの割り当てられた管理対象通信装置を管理するネットワーク管理装置であって、以下の要素を有することを特徴とする。
（１）管理対象通信装置を要求先通信装置とする管理要求を入力する管理要求入力部、
（２）上記要求先通信装置へのアクセスが制限されているか否かを判断するアクセス制限判断部、
（３）上記要求先通信装置へのアクセスが制限されていないと判断した場合に、上記管理要求に上記要求先通信装置に送信する管理要求送信部。
【００１７】
上記アクセス制限判断部は、アクセスが制限されているアクセス制限通信装置の識別情報を記憶し、上記要求先通信装置の識別情報と、上記アクセス制限通信装置の識別情報とが一致する場合に、アクセスが制限されていると判断することを特徴とする。
【００１８】
この発明に係るネットワーク管理装置は、管理対象通信装置が送信した障害報告を受信する障害通信受信部を有し、
上記アクセス制限判断部は、受信した上記障害報告の送信元である管理対象通信装置の識別情報を、上記アクセス制限通信装置の識別情報として記憶することを特徴とする。
【００１９】
この発明に係るネットワーク管理方法は、ネットワークを構成する複数の通信装置のうちの割り当てられた管理対象通信装置を管理するネットワーク管理装置のネットワーク管理方法であって、以下の要素を有することを特徴とする。
（１）管理対象通信装置を要求先通信装置とする管理要求を入力する工程、
（２）上記要求先通信装置へのアクセスが制限されているか否かを判断する工程、
（３）上記要求先通信装置へのアクセスが制限されていないと判断した場合に、上記管理要求に上記要求先通信装置に送信する工程。
【００２０】
この発明に係るプログラムを記録したコンピュータ読み取り可能な記録媒体は、ネットワークを構成する複数の通信装置のうちの割り当てられた管理対象通信装置を管理するネットワーク管理装置であるコンピュータに、以下の処理を実行させるためのプログラムを記録したコンピュータ読み取り可能な記録媒体であることを特徴とする。
（１）管理対象通信装置を要求先通信装置とする管理要求を入力する処理、
（２）上記要求先通信装置へのアクセスが制限されているか否かを判断する処理、
（３）上記要求先通信装置へのアクセスが制限されていないと判断した場合に、上記管理要求に上記要求先通信装置に送信する処理。
【００２１】
この発明に係るネットワーク管理装置は、ネットワークを構成する複数の通信装置のうちの割り当てられた管理対象通信装置を管理するネットワーク管理装置であって、以下の要素を有することを特徴とする。
（１）ネットワークを構成する複数の通信装置のうちの割り当てられた他の管理対象通信装置を管理する他のネットワーク管理装置の運用時間を記憶するネットワーク管理装置運用時間記憶部、
（２）上記管理対象通信装置から障害報告を受信する障害報告受信部、
（３）現在の時間が上記運用時間の範囲内である場合に、上記他のネットワーク管理装置に上記障害報告を送信する障害報告送信部。
【００２２】
この発明に係るネットワーク管理方法は、ネットワークを構成する複数の通信装置のうちの割り当てられた管理対象通信装置を管理するネットワーク管理装置のネットワーク管理方法であって、以下の要素を有することを特徴とする。
（１）ネットワークを構成する複数の通信装置のうちの割り当てられた他の管理対象通信装置を管理する他のネットワーク管理装置の運用時間を記憶する工程、
（２）上記管理対象通信装置から障害報告を受信する工程、
（３）現在の時間が上記運用時間の範囲内である場合に、上記他のネットワーク管理装置に上記障害報告を送信する工程。
【００２３】
この発明に係るプログラムを記録したコンピュータ読み取り可能な記録媒体は、ネットワークを構成する複数の通信装置のうちの割り当てられた管理対象通信装置を管理するネットワーク管理装置であるコンピュータに、以下の処理を実行させるためのプログラムを記録したコンピュータ読み取り可能な記録媒体であることを特徴とする。
（１）ネットワークを構成する複数の通信装置のうちの割り当てられた他の管理対象通信装置を管理する他のネットワーク管理装置の運用時間を記憶する処理、
（２）上記管理対象通信装置から障害報告を受信する処理、
（３）現在の時間が上記運用時間の範囲内である場合に、上記他のネットワーク管理装置に上記障害報告を送信する処理。
【００２４】
【発明の実施の形態】
実施の形態１．
図１は、実施の形態１における通信システム構成を示す図である。
図において、管理トランザクション処理手段１１は、自ネットワーク管理装置が管理責任を持つ通信装置（管理対象通信装置ということがある）に対する管理要求の処理状態を見ながら、管理対象通信装置に対するアクセスを排他制御する。
【００２５】
図２は、管理トランザクション状態表のフォーマットを示す図である。
要求元識別子２１は、管理要求の発信元を表わす識別子であって、ＩＰアドレスやオペレータのログイン名である。要求受信日時２２は、管理トランザクション処理手段１１が要求を受信した日時である。管理要求種別２３は、管理要求の種別であって、たとえば管理プロトコルがＣＭＩＰ（ｃｏｍｍｏｎ  ｍａｎａｇｅｍｅｎｔ  ｉｎｆｏｒｍａｔｉｏｎ  ｐｒｏｔｏｃｏｌ）の場合は、ＣＲＥＡＴＥ，ＤＥＬＥＴＥ，ＧＥＴ，ＳＥＴ，ＡＣＴＩＯＮ，ＥＶＥＮＴ，ＣＡＮＣＥＬである。
応答状態２４は、管理要求の応答待ち状態を表わすフラグであって、「応答待ち」、「部分応答待ち」の何れかの値を取る。要求先識別子２５は、管理要求の最終宛先の識別子であって、ＩＰアドレス等が入る。
【００２６】
次に動作について説明する。
図３は、実施の形態１における動作フローを示す図である。
ネットワーク管理装置１ａのオペレータが、状態表示手段４ａから管理要求を入力する（Ｓ３０１）。状態表示手段４ａは、管理トランザクション処理手段１１ａに管理要求を送信する。
【００２７】
管理トランザクション処理手段１１ａは、内部テーブルである管理トランザクション状態表１２ａを参照する（Ｓ３０２）。
【００２８】
もし、管理トランザクション状態表１２ａに応答待ちの管理操作が存在し、かつ要求先の識別子が同じであるならば、管理トランザクション処理手段１１ａは、管理操作の拒否応答を状態表示手段４ａに送る。状態表示手段４ａは、管理要求の失敗を表示し、オペレータに伝える（Ｓ３０４）。
【００２９】
もし、管理トランザクション状態表１２ａに応答待ちの管理操作が存在しない、あるいは応答待ちであっても要求先の識別子が異なっていれば、管理トランザクション処理手段１１ａは、管理トランザクション状態表１２ａを書き換え（Ｓ３０５）、管理要求を通信手段５ａに送信する（Ｓ３０６）。
【００３０】
通信手段は、通信装置３ａに管理要求を送信し（Ｓ３０７）、その結果を受信する（Ｓ３０９）。通信手段５ａは、結果を記憶手段６ａに書き込む（Ｓ３１０）と同時に、管理トランザクション処理手段１１ａに結果を伝える（Ｓ３１１）。
【００３１】
管理トランザクション処理手段１１ａは、管理トランザクション状態表１２ａから当該管理要求の情報を削除し（Ｓ３１２）、結果を状態表示手段４ａに送信する。
【００３２】
状態表示手段４ａは、結果を表示し（Ｓ３１３）、オペレータに伝える。
【００３３】
また、図４は、実施の形態１における別のネットワーク管理装置から通信装置へのアクセス動作を説明する動作フロー図である。
【００３４】
ネットワーク管理装置１ｂのオペレータが、状態表示手段４ａから管理要求を入力する（Ｓ４０１）。
【００３５】
状態表示手段４ｂは、通信手段５ｂを使って、ネットワーク管理装置１ａに管理要求を送信する（Ｓ４０２）。
【００３６】
通信手段５ａは、ネットワーク管理装置１ｂから管理要求を受信し（Ｓ４０３）、管理トランザクション処理手段１１ａに管理要求を送信する。
【００３７】
管理トランザクション処理手段１１ａは、内部テーブルである管理トランザクション状態表１２ａを参照する（Ｓ４０４）。
【００３８】
もし、管理トランザクション状態表１２ａに応答待ちの管理操作が存在し、かつ要求先の識別子が同じであるならば、管理トランザクション処理手段１１ａは、管理操作の拒否応答を通信手段５ａと通信手段５ｂを経由して、状態表示手段４ｂに送る（Ｓ４０６，Ｓ４０７）。状態表示手段４ｂは、管理要求の失敗を表示し（Ｓ４０８）、オペレータに伝える。
【００３９】
もし、管理トランザクション状態表１２ａに応答待ちの管理操作が存在しない、あるいは応答待ちであっても要求先の識別子が異なっていれば、管理トランザクション処理手段１１ａは、管理トランザクション状態表１２ａを書き換え（Ｓ４０９）、管理要求を通信手段５ａに送信する。
【００４０】
通信手段５ａは、通信装置３ａに管理要求を送信し（Ｓ４１１）、その結果を受信する（Ｓ４１３）。
【００４１】
通信手段５ａは、結果を記憶手段６ａに書き込むと同時に、管理トランザクション処理手段１１ａに結果を伝える（Ｓ４１４，Ｓ４１５）。
【００４２】
管理トランザクション処理手段１１ａは、管理トランザクション状態表１２ａから当該管理要求の情報を削除し（Ｓ４１６）、結果を通信手段５ａと通信手段５ｂを経由して、状態表示手段４ｂに送信する（Ｓ４１７）。
【００４３】
状態表示手段４ｂは、結果を表示し（Ｓ４１９）、オペレータに伝える。
【００４４】
以上のように、管理トランザクション処理手段が管理トランザクション表を参照しながら、管理要求を処理中の通信装置に対する新たな管理要求の実行を制限するようにしているので、特定の通信装置に対する重複した要求を排除することができる。
【００４５】
実施の形態２．
実施の形態１では、通信装置に対する応答待ちを基準にして、通信装置へのアクセス制御を行ったが、実施の形態２では、通信装置の管理情報を基準にして、通信装置へのアクセス制御を行う例を述べる。
【００４６】
図５は、実施の形態２における通信システム構成を示す図である。
図において、管理情報アクセス制御手段３１は、自ネットワーク管理装置が管理責任を持つ通信装置（管理対象通信装置）及び管理対象通信装置に含まれる各種管理情報のアクセス権を見ながら、管理対象通信装置に対するアクセスを排他制御する。
【００４７】
図６は、管理情報別アクセス制御表のフォーマットを示す図である。
通信装置または通信装置内の特定の管理情報に対するネットワーク管理装置毎、またはオペレータ毎のアクセス権を示すものである。
【００４８】
図において、要求先識別子４１は、管理要求の最終宛先の識別子であって、ＩＰアドレス等が入る。
【００４９】
要求元識別子４２は、管理要求の発信元を表わす識別子であって、ＩＰアドレスやオペレータのログイン名である。
【００５０】
アクセス権４３は、要求先識別子に対してどのような操作が可能かを示す識別子であって、たとえば管理プロトコルがＣＭＩＰの場合は、ＣＲＥＡＴＥ，ＤＥＬＥＴＥ，ＧＥＴ，ＳＥＴ，ＡＣＴＩＯＮ，ＥＶＥＮＴ，ＣＡＮＣＥＬのうちの一つ以上の符号が入る。また、すべての操作を許可する場合には、ＡＬＬという符号が入る。
【００５１】
次に動作について説明する。
図７は、実施の形態２における動作フローを示す図である。
通信装置３ａに障害が発生し（Ｓ７０１）、ネットワーク管理装置１ａが復旧処理をする時の動作を説明する。
【００５２】
ネットワーク管理装置１ａのオペレータは、状態表示手段４ａを介して通信装置３ａの障害を検出する（Ｓ７０４）。オペレータは、状態表示手段４ａと管理情報アクセス制御手段３１ａを介して、通信装置３ａの管理情報に対するアクセス権をネットワーク管理装置１ａに設定する（Ｓ７０５，Ｓ７０６）。
【００５３】
このとき、管理情報アクセス制御表３２ａの要求先識別子４１ａには、通信装置３ａのＩＰアドレスなどが入り、要求元識別子４２ａにはネットワーク管理装置１ａのＩＰアドレスなどが入り、アクセス権４３ａにはすべての管理要求が許可される符号ＡＬＬが入る。この時点で、通信装置３ａに対するアクセスは、ネットワーク管理装置１ａに限定される。
【００５４】
ネットワーク管理装置１ｂのオペレータから通信装置３ａに対する管理要求が発せられた場合に（Ｓ７０７，Ｓ７０８）、ネットワーク管理１ａの通信手段５ａが管理要求を受信し（Ｓ７０９）、通信手段５ａは管理情報アクセス制御手段３１ａに管理要求を送信する。
【００５５】
管理情報アクセス制御手段３１ａは、管理情報アクセス制御表３２ａを参照し、ネットワーク管理装置１ｂが通信装置３ａに対するアクセス権を持たないと判定し（Ｓ７１０）、管理要求に対するエラー応答を通信手段５ａを介して、ネットワーク管理装置１ｂに送信する（Ｓ７１１）。
【００５６】
この例では、オペレータの指示によりアクセス権を設定したが、障害報告を受けて自動的にアクセス権を設定するようにすることも有効である。
【００５７】
以上のように、管理トランザクション処理手段が管理アクセス制御表を参照しながら、特定の通信装置への管理要求を制限するので、特定の通信装置または管理情報へのアクセスを一つのネットワーク管理装置に限定するすることができ、通信装置の障害復旧時などにおける首尾一貫した管理操作を保証することができる。
【００５８】
実施の形態３．
図８は、実施の形態３における通信システム構成を示す図である。
図において、管理スケジューラ手段５１は、ネットワーク管理装置の管理下にある通信装置（管理対象通信装置）の警報を、内部に保持する管理スケジュール表５２に記憶しているスケジュール管理装置に通知する。管理スケジュール表は、すべてのネットワーク管理装置の管理スケジュールを記憶している。
【００５９】
図９は、管理スケジュール表のフォーマットを示す図である。
各ネットワーク管理装置の識別子６１と管理開始時間６２、および終了時間６３を保持している。
【００６０】
次に動作について説明する。
図１０は、実施の形態３における動作フローを示す図である。
ネットワーク管理装置１ａの管理下にある通信装置３ａで障害が発生した場合に（Ｓ１００１）、障害報告がネットワーク管理装置１ａに送信され、通信手段５ａにて受信される（Ｓ１００２）。
【００６１】
通信手段５ａは障害報告を記憶手段６ａに送信し、記憶手段６ａは状態変化を記憶する（Ｓ１００３）。
【００６２】
同時に、通信手段５ａは、管理スケジューラ手段５１ａにも障害報告を送信する（Ｓ１００４）。管理スケジューラ手段５１ａは、管理スケジュール表に記載されているネットワーク管理装置１ａの現在時刻が、
管理開始時刻＜現在時刻＜管理終了時刻
ならば（Ｓ１００５）、状態表示手段４ａに障害報告を表示し、オペレータに通信装置３ａの障害を知らせる（Ｓ１００７）。
【００６３】
もし、ネットワーク管理装置１ａの現在時刻が、上記以外の場合は、管理スケジュール表５２を検索して、現在時刻に運用中であるネットワーク管理装置を選択し（Ｓ１００５）、そのネットワーク管理装置１ｂに対して、障害報告を送信する（Ｓ１００８）。
【００６４】
以上のように、各ネットワーク管理装置が管理スケジュール表に従って、障害の通知先を変更しているので、すべての管理装置にオペレータを配置する必要が無くなり、運用費用を低減することができる。
【００６５】
たとえば、ネットワーク管理装置１ａをフランスに、ネットワーク管理装置１ｂを日本に、ネットワーク管理装置１ｃをアメリカに配置する場合、日本とフランスの時差はマイナス８時間であり、日本とアメリカ・デンバーの時差はプラス８時間である。これらのネットワーク管理装置を８時間（現地時間の８時から１６時）ずつ運用して、その時間だけオペレータを配置すれば、オペレータの労働時間を減少し、ネットワーク管理の運用費用を削減することができる。
【００６６】
【発明の効果】
以上のように、この発明によれば、管理トランザクション処理手段が管理トランザクション表を参照しながら、管理要求を処理中の通信装置に対する新たな管理要求の実行を制限するようにしているので、特定の通信装置に対する重複した要求を排除することができる。
【００６７】
また、この発明によれば、管理アクセス制御手段が管理アクセス制御表を参照しながら、特定の通信装置への管理要求を制限するので、特定の通信装置または管理情報へのアクセスを一つのネットワーク管理装置に限定するすることができ、通信装置の障害復旧時などにおける首尾一貫した管理操作を保証することができる。
【００６８】
また、この発明によれば、各ネットワーク管理装置が管理スケジュール表に従って、障害の通知先を変更しているので、すべての管理装置にオペレータを配置する必要が無くなり、運用費用を低減することができる。
【図面の簡単な説明】
【図１】  実施の形態１における通信システム構成を示す図である。
【図２】  管理トランザクション状態表のフォーマットを示す図である。
【図３】  実施の形態１における動作フローを示す図である。
【図４】  実施の形態１における別のネットワーク管理装置から通信装置へのアクセス動作を説明する動作フロー図である。
【図５】  実施の形態２における通信システム構成を示す図である。
【図６】  管理情報別アクセス制御表のフォーマットを示す図である。
【図７】  実施の形態２における動作フローを示す図である。
【図８】  実施の形態３における通信システム構成を示す図である。
【図９】  管理スケジュール表のフォーマットを示す図である。
【図１０】  実施の形態３における動作フローを示す図である。
【図１１】  従来技術における通信システム構成を示す図である。
【符号の説明】
１  ネットワーク管理装置、２  ネットワーク、３  通信装置、４  状態表示手段、５  通信手段、６  記憶手段、１１  管理トランザクション処理手段、１２  管理トランザクション状態表、２１  要求元識別子、２２  要求受信日時、２３  管理要求種別、２４  応答状態、２５  要求先識別子、３１  管理情報アクセス制御手段、３２  管理情報アクセス制御表、４１  要求先識別子、４２  要求元識別子、４３  アクセス権、５１  管理スケジューラ手段、５２  管理スケジュール表、６１  ネットワーク管理装置の識別子、６２  管理開始時間、６３  終了時間。
【図１】
0003775967.tif 000002
【図２】
0003775967.tif 000003
【図３】
0003775967.tif 000004
【図４】
0003775967.tif 000005
【図５】
0003775967.tif 000006
【図６】
0003775967.tif 000007
【図７】
0003775967.tif 000008
【図８】
0003775967.tif 000009
【図９】
0003775967.tif 000010
【図１０】
0003775967.tif 000011
【図１１】
0003775967.tif 000012